(57)【特許請求の範囲】
【請求項１】
動画撮影機能及び静止画撮影機能を有する電子カメラ装置であって、
所定の撮影条件で動画撮影動作を実行する動画撮影手段と、
静止画撮影を指示する指示手段と、
静止画撮影時の撮影条件で、シャッタスピードと絞り値の少なくとも一方に関係する撮影条件を任意に設定できる設定手段と、
前記指示手段により前記動画撮影動作中に静止画撮影動作を実行するときに、前記設定手段により設定された撮影条件で当該静止画撮影動作を実行する静止画撮影手段と
を具備したことを特徴とする電子カメラ装置。
【請求項２】
前記設定手段は、更に、ストロボ装置を動作させるか否かを任意に設定できる構成であることを特徴とする請求項１に記載の電子カメラ装置。
【請求項３】
前記静止画撮影動作時に、オートフォーカス機構を制御してオートフォーカスを動作させない手段を有することを特徴とする請求項１に記載の電子カメラ装置。
【発明の詳細な説明】
【０００１】
【発明の属する技術分野】
本発明は、特に動画撮影機能及び静止画撮影機能を有する電子カメラ装置に関する。
【０００２】
【従来の技術】
近年、被写体を電子的撮像機能により画像データに変換して、当該画像データを記録媒体に記録する電子カメラが普及している。電子カメラは、ディジタルカメラとも呼ばれている電子スチールカメラ以外に、動画撮影を主機能とするディジタルビデオカメラも含む。
【０００３】
ところで、最近の電子カメラには、静止画撮影機能と動画撮影機能の両者を備えた製品が開発されている。具体例としては、図３に示す構成要素を有する電子カメラである（文献としては例えば特開平１０−１０８１２１号公報を参照）。
【０００４】
この電子カメラでは、レンズ、ＣＣＤ等の撮像素子、Ａ／Ｄコンバータを含む撮像部１が設けられて、当該撮像部１から得られたディジタル画像データ（以下単に画像データと表記する）がバッファ部２を介して静止画記録部３に送られる。一方、当該画像データは、画素密度変換部４により画素密度が低減される処理を経て、動画記録部５に送られる。静止画記録部３は、画像データを静止画像として画像圧縮などの画像処理を実行し、例えばメモリカード等の記録媒体６に記録する。また、動画記録部５は、画素密度が低減された画像データ（静止画より画素数の少ない画像データ）を動画として画像処理を実行し、記録媒体６に記録する。
【０００５】
ここで、動画撮影動作中に、静止画撮影の指示（指示信号Ｓ）が与えられると、撮像部１から得られた静止画撮影時の画像データをバッファ部２に一時的に格納する。そして、動画記録部５による動画記録動作が完了するのを待って（完了信号Ｅ）、静止画記録部３はバッファ部２に格納された画像データを静止画像として処理し、記録媒体６に記録する。
【０００６】
【発明が解決しようとする課題】
前述したように、静止画撮影機能と動画撮影機能の両者を備えた電子カメラであれば、ユーザは動画撮影中に、シャッタチャンスがあれば静止画撮影（いわゆる写真撮影）を行なうことができる。しかしながら、静止画撮影と動画撮影とは単なる解像度（画素密度）の相違だけでなく、いわゆる撮影条件が本質的に異なる。
【０００７】
即ち、静止画撮影では、単に画像を高解像度で取込むだけでなく、レンズの絞り状態や、シャッタスピードなどの撮影条件を適正に設定することにより、要望の写真（静止画）の撮影が可能となる。換言すれば、動画撮影モードを維持している状態で、静止画撮影を実行する場合には、動画撮影時の撮影条件から静止画撮影の撮影条件に再設定（変更）することが望ましい。
【０００８】
そこで、本発明の目的は、動画撮影時に、撮影条件の再設定を可能にして適正な撮影条件での静止画撮影を実現できる電子カメラ装置を提供することにある。
【０００９】
【課題を解決するための手段】
本発明は、動画撮影機能及び静止画撮影機能を有する電子カメラ装置に関し、所定の撮影条件で動画撮影動作を実行する動画撮影手段と、静止画撮影を指示する指示手段と、静止画撮影時の撮影条件で、シャッタスピードと絞り値の少なくとも一方に関係する撮影条件を任意に設定できる設定手段と、前記指示手段により前記動画撮影動作中に静止画撮影動作を実行するときに、前記設定手段により設定された撮影条件で当該静止画撮影動作を実行する静止画撮影手段とを有する電子カメラ装置である。
【００１０】
静止画撮影の撮影条件は、具体的には、シャッタスピードやレンズの絞り値に関係するものである。また、ストロボによる発光動作も含まれる。静止画撮影手段は、設定手段により任意の撮影条件が設定されていない場合には、動画撮影動作時の撮影条件での静止画撮影動作を実行する。
【００１１】
このような構成であれば、ユーザは、動画撮影動作時に、シャッタチャンスがあれば、予め設定した撮影条件での静止画撮影を実行できる。従って、動画撮影条件では得られない、高品質またはユーザが想定している品質の静止画像（写真）を記録することが可能となる。
【００１２】
【発明の実施の形態】
以下図面を参照して、本発明の実施の形態を説明する。
【００１３】
（電子カメラの構成）
図１は、同実施形態に関係する電子カメラの要部を示すブロック図である。同実施形態の電子カメラは、静止画撮影機能を主機能とし、動画撮影機能も有する電子スチールカメラ（ディジタルカメラ）を想定する。当然ながら、動画撮影機能を主機能とし、静止画撮影機能も有するディジタルビデオカメラにも適用可能である。
【００１４】
同実施形態の電子カメラは、図１に示すように、大別して撮影系１０、画像処理部１１、システムコントローラ１２、表示系１３、入力操作系１４、及び記録媒体１５を有する記録系から構成されている。これ以外にも、画像データを外部へ出力するための出力系もあるが、同実施形態では説明を省略する。
【００１５】
先ず、撮影系１０は、レンズ１００、絞り部１０１、シャッタ１０２、撮像素子１０３、及びＡ／Ｄコンバータ１０４を有する。撮像素子１０３は、通常では数百万画素のＣＣＤ（Ｃｈａｒｇｅ  Ｃｏｕｐｌｅｄ  Ｄｅｖｉｃｅ）撮像素子からなり、レンズ１００を通じて入射した被写体像を光電変換する。レンズ１００は、オートフォーカス（Ａ／Ｆ）機構１０５によりフォーカス（ズーム）駆動されるように構成されている。絞り部１０１及びシャッタ１０２は、後述するように、システムコントローラ１２により制御される。なお、動画撮影モードでは、Ａ／Ｆ、絞り値、シャッタスピード（シャッタ時間）は、自動的に設定されている。また、同実施形態の静止画撮影モードでは、後述するように、自動設定と共に、マニュアル設定が可能である。
【００１６】
撮像回路１０３ｂは、撮像素子１０３での光電変換により得られた画像信号に、ＣＤＳ（相関二重サンプリング）及びＡＧＣ（自動ゲイン調整）の処理などを行なう。
【００１７】
Ａ／Ｄコンバータ１０４は、撮像回路１０３ｂから得られた画像信号（画素数に応じたアナログ信号）をディジタル信号（画像データ）に変換して、画像処理部１１に送出する。実際には、撮像素子１０３から得られた画像信号は、ガンマ補正やホワイトバランス調整などの各種の信号処理がなされる。
【００１８】
さらに、撮影系１０はストロボ装置１０６を含む。ストロボ装置１０６は、発光部１０６Ａと、測光センサ１０６Ｂと、ストロボ制御回路１０６Ｃとを有する。測光センサ１０６Ｂは、撮影時に発光部１０６Ａからの本発光の光量を決定するために、発光部１０６Ａからのプリ発光を測光する。測光センサ１０６Ｂは、測光結果をストロボ制御回路１０６Ｃを介して、システムコントローラ１２のストロボ判定部１２３に送出する。当該ストロボ判定部１２３は、測光結果に基づいて、ストロボを使用する場合の発光部１０６Ａからの光量を決定し、ストロボ制御回路１０６Ｃに送出する。ストロボ制御回路１０６Ｃは測光センサ１０６Ｂを制御すると共に、ストロボ判定部１２３からの判定結果に従って発光部１０６Ａを制御する。
【００１９】
画像処理部１１は、具体的には画像処理用ＣＰＵ（マイクロプロセッサ）及びその制御プログラムを格納したメモリから構成されている。図１に示す動画処理部１１０、静止画処理部１１１、及び間引部１１２は、ＣＰＵによる機能要素である。バッファメモリ１１３はフレームメモリとも呼ばれており、例えば１画面分の画像データを格納する。
【００２０】
動画処理部１１０は、動画撮影モードで機能し、間引部１１２により画素密度が低減された画像データ（例えば数十万画素）に対する画像圧縮処理（例えばモーションＪＰＥＧ方式圧縮）を実行し、連続的なファイル（映像データ）として記録媒体１５に記録する。また、動画処理部１１０は、当該映像データを表示系１３のＥＶＦ表示制御部１３０に送出する。なお、動画処理部１１０は再生時の画像伸長処理も実行する。
【００２１】
静止画処理部１１１は、Ａ／Ｄコンバータ１０４から出力される画像データ（間引きされない数百万画素）に対して、静止画を得るための画像圧縮処理及び画像伸長処理などの各種処理を実行して、一時的にバッファメモリ１１３に格納する。ここで、静止画処理部１１１は、動画撮影モードが維持されている場合には、動画撮影動作の終了後にバッファメモリ１１３に格納した静止画像データを記録媒体１５に記録する。
【００２２】
システムコントローラ１２は、制御用ＣＰＵ（マイクロプロセッサ）及びその制御プログラムを格納したメモリから構成されており、図１に示す動画／静止画切替部１２０、絞り・シャッタ設定部１２１、Ａ／Ｆ制御部１２２、及びストロボ判定部１２３の各機能要素を実行する。システムコントローラ１２は、後述するように、入力操作系１４から各種の入力を受け付けて、各種の制御動作を実行する。
【００２３】
動画／静止画切替部１２０は、入力操作系１４の静止画レリーズ（シャッタ）ボタン１４０および動画開始／停止（Ｓ／Ｓ）ボタン１４１の操作入力に応じて、静止画処理部１１１及び動画処理部１１０の動作を制御する。即ち、動画Ｓ／Ｓボタン１４１の操作入力に応じて、動画撮影動作を開始または停止させる。また、静止画レリーズボタン１４０の操作入力に応じて、静止画撮影動作を実行させる。なお、同実施形態では、静止画撮影動作は、動画撮影動作とは関係なく実行可能である。但し、動画撮影中の場合には動画撮影動作が中断し、当該静止画撮影動作の終了後に、動画撮影動作が再開される。また、動画撮影動作の中断の場合でも、動画処理部１１０は機能しており、連続的な画像データ（映像データ）を表示系１３に供給している。
【００２４】
Ａ／Ｆ制御部１２２は、動画撮影モードで静止画撮影動作を実行するときに、レンズ１００を直前のフォーカス位置に固定するように制御する。通常では、動画撮影動作時には、レンズ１００は常時Ａ／Ｆ駆動が実行されている。このため、静止画撮影動作時には、レンズ１００のフォーカス位置を固定することが望ましい。
【００２５】
ストロボ判定部１２３は、前述したように、静止画撮影時に、測光センサ１０６Ｂからストロボ制御回路１０６Ｃを介して送られる測光結果に基づいて、ストロボを使用する場合の発光部１０６Ａからの光量を決定し、これに伴う指令をストロボ制御回路１０６Ｃに送出する。また、ストロボ判定部１２３は、入力操作系１４のストロボモード設定ボタン１４５からの入力を受け付けて、この入力に従ったストロボモードを実行する。但し、動画撮影動作では、ストロボ設定とは無関係に、ストロボ機能は実行されない。
【００２６】
ストロボモード設定ボタン１４５は、ストロボ使用不可、ストロボ使用、ストロボ使用自動判定の３モードを選択的に設定できる。通常の静止画撮影動作時には、ストロボ使用自動判定モードが標準設定されている。
【００２７】
絞り・シャッタ設定部１２１は、動画撮影及び静止画撮影での絞りシャッタ制御を実行する機能を有し、具体的には撮影系１０の絞り部１０１及びシャッタ１０２を制御する。絞り・シャッタ設定部１２１は、図２に示すように、プログラムモード部１２１Ａ、シャッタスピード優先モード部１２１Ｂ、絞り優先モード部１２１Ｃ、及びフルマニュアルモード部１２１Ｄの各機能を有する。各機能部１２１Ａ〜１２１Ｄは、入力操作系１４の静止画モード入力ボタン１４４の操作に応じて選択的に動作する。静止画モード入力ボタン１４４の操作により、絞り・シャッタ設定部１２１は、動画撮影動作中に、静止画撮影用の撮影条件を受け付け可能となる。
【００２８】
プログラムモード部１２１Ａは、動画撮影及び静止画撮影のそれぞれに適合する絞り値及びシャッタスピードを自動的に設定する機能であり、各最適アルゴリズムに従って絞り値及びシャッタスピードを算出する。
【００２９】
シャッタスピード優先モード部１２１Ｂは、静止画撮影用の撮影条件としてシャッタスピードを優先的に設定し、この設定値を基準として絞り値を算出する。シャッタスピード優先モード部１２１Ｂは、入力操作系１４のシャッタスピード入力部１４３からシャッタスピード設定値を受け付ける。このモード部１２１Ｂにより、静止画レリーズボタン１４０の操作入力に応じて静止画撮影動作がオンされると、絞り・シャッタ設定部１２１は、シャッタスピード設定値を優先とする撮影条件に基づいて静止画撮影での絞り部１０１及びシャッタ１０２を制御する。
【００３０】
一方、絞り優先モード部１２１Ｃは、静止画撮影用の撮影条件として絞り値を優先的に設定し、この設定値を基準としてシャッタスピードを算出する。絞り優先モード部１２１Ｃは、入力操作系１４の絞り値入力部１４２から絞り設定値を受け付ける。このモード部１２１Ｃにより、静止画レリーズボタン１４０の操作入力に応じて静止画撮影動作がオンされると、絞り・シャッタ設定部１２１は、絞り設定値を優先とする撮影条件に基づいて静止画撮影での絞り部１０１及びシャッタ１０２を制御する。
【００３１】
フルマニュアルモード部１２１Ｄは、絞り、シャッタをフルマニュアルで調整して静止画撮影を行なう場合に機能する。即ち、フルマニュアルモード部１２１Ｄは、絞り値入力部１４２から絞り設定値を受け付けて、かつシャッタスピード入力部１４３からシャッタスピード設定値を受け付ける。これらの各設定値に基づいて、静止画撮影での絞り部１０１及びシャッタ１０２を制御する。
【００３２】
表示系１３は、ＥＶＦ（Ｅｌｅｃｔｒｏ−ｖｉｅｗ  ｆｉｎｄｅｒ）表示制御部１３０及び液晶モニタであるファインダ１３１を有する。ＥＶＦ表示制御部１３０は、動画処理部１１０から映像データを入力して、ファインダ１３１に表示させる。また、ＥＶＦ表示制御部１３０は、絞り・シャッタ設定部１２１からモード種別、設定絞り値、設定シャッタスピードなどを入力して、ファインダ１３１に表示させる。
【００３３】
記録媒体１５は、交換型記録媒体であるメモリカード（例えばフラッシュＥＥＰＲＯＭを実装しているＩＣメモリ）、光磁気ディスク、磁気ディスク（フロッピーディスクやハードディスク）等である。
【００３４】
（動画撮影動作及び静止画撮影動作）
以下図１と共に、図４及び図５のフローチャートを参照して、同実施形態の撮影動作を説明する。同実施形態は、動画撮影中の静止画撮影動作に関するものである。静止画モード入力ボタン１４４の操作入力に応じて、静止画撮影用の撮影条件を設定する場合に、動画撮影中または当該撮影前のいずれでも設定が可能である。動画撮影前の設定では、絞り・シャッタ設定部１２１は、静止画撮影用の撮影条件を示す設定値（絞り値及びシャッタスピード）を図示しないメモリに保存し、静止画レリーズボタン１４０の操作に応じて当該メモリから設定値を取出す。
【００３５】
ユーザにより動画開始ボタン１４１が操作されると、システムコントローラ１２は、プログラムモード機能（１２１Ａ）により動画用の自動撮影条件に基づいて動画撮影動作を開始する（ステップＳ１のＹＥＳ，Ｓ２）。具体的には、前述したように、動画／静止画切替部１２０により、画像処理部１１の動画処理部１１０が機能し、撮影系１０により得られた画像データを間引部１１２により画素密度を低減して、各種の画像処理を実行する。そして、連続的なファイル（映像データ）として記録媒体１５に記録する。また、動画処理部１１０は、当該映像データを表示系１３のＥＶＦ表示制御部１３０に送出し、ファインダ１３１に表示させる。
【００３６】
この動画撮影時に、静止画撮影のために静止画レリーズボタン１４０が操作されると、システムコントローラ１２は、動画撮影動作を中断して、静止画撮影動作に移行する（ステップＳ４のＹＥＳ）。但し、動画処理部１１０は、映像データを表示系１３に送出する処理については続行している。
【００３７】
システムコントローラ１２は、絞り・シャッタ設定部１２１が静止画モード入力ボタン１４４の操作入力を受け付けていない場合には、後述するストロボ制御及びＡ／Ｆ制御を除いて動画用の自動撮影条件に基づいて静止画撮影動作を実行する（ステップＳ５のＮＯ）。具体的には、動画／静止画切替部１２０は、画像処理部１１の静止画処理部１１１を機能させると共に、ストロボ判定部１２３及びＡ／Ｆ制御部１２２を機能させる。
【００３８】
Ａ／Ｆ制御部１２２は、レンズ１００のＡ／Ｆ位置を固定するように制御する。また、ストロボ判定部１２３は、測光センサ１０６Ｂからストロボ制御回路１０６Ｃを介して送られる測光結果に基づいて、ストロボを使用する場合の発光部１０６Ａからの光量を決定し、これに伴う指令をストロボ制御回路１０６Ｃに送出する。このとき、ストロボ判定部１２３は、入力操作系１４のストロボモード設定ボタン１４５からの入力を受け付けて、この入力に従ったストロボモード（ストロボ使用不可、ストロボ使用、ストロボ使用自動判定の３モードのいずれか）を実行してもよい（ステップＳ６）。静止画処理部１１１は、Ａ／Ｄコンバータ１０４から出力される画像データ（間引きされない数百万画素）に対して、静止画を得るための画像圧縮処理及び画像伸長処理などの各種処理を実行して、一時的にバッファメモリ１１３に格納する（ステップＳ７）。このとき、動画撮影モードが維持されているため、動画撮影動作の終了後にバッファメモリ１１３に格納した静止画像データが記録媒体１５に記録されることになる。
【００３９】
一方、絞り・シャッタ設定部１２１が静止画モード入力ボタン１４４の操作入力を受け付けている場合には、図５のフローチャートに示すように、マニュアル操作による静止画撮影動作が実行される（ステップＳ５のＹＥＳ）。
【００４０】
即ち、システムコントローラ１２の絞り・シャッタ設定部１２１は、入力操作系１４の静止画モード入力ボタン１４４の操作入力に応じて、プログラムモード部１２１Ａ、シャッタスピード優先モード部１２１Ｂ、絞り優先モード部１２１Ｃ、及びフルマニュアルモード部１２１Ｄのそれぞれを選択的に機能させる（ステップＳ１０〜Ｓ１３）。
【００４１】
具体的には、シャッタスピード優先モード（１２１Ｂ）が選択されると、シャッタスピード入力部１４３からシャッタスピード設定値を、静止画撮影用の撮影条件として優先的に設定し、この設定値を基準として絞り値を設定する（ステップＳ１０，Ｓ１４）。また、絞り優先モード（１２１Ｃ）が選択されると、絞り値入力部１４２から絞り設定値を、静止画撮影用の撮影条件として優先的に設定し、この設定値を基準としてシャッタスピードを設定する（ステップＳ１１，Ｓ１５）。フルマニュアルモード（１２１Ｄ）が選択されると、絞り値入力部１４２から絞り設定値、及びシャッタスピード入力部１４３からのシャッタスピードの各設定値を設定する（ステップＳ１２）。更に、プログラムモード（１２１Ａ）が選択されると、静止画撮影に適合する絞り値及びシャッタスピードを自動的に設定する（ステップＳ１３）。
【００４２】
以上のように、絞り・シャッタ設定部１２１は、静止画モード入力ボタン１４４の操作入力により設定された静止画撮影用の撮影条件に基づいて絞り部１０１及びシャッタ１０２を制御する。さらに、動画／静止画切替部１２０は、前述の静止画撮影動作と同様に、画像処理部１１の静止画処理部１１１を機能させると共に、ストロボ判定部１２３及びＡ／Ｆ制御部１２２を機能させて、静止画撮影を実行する（ステップＳ１６，Ｓ１７）。
【００４３】
これにより、ユーザは、動画撮影中のシャッタチャンス時に、動画撮影条件とは異なる所望の撮影条件で、静止画撮影を行なうことができる。従って、動画撮影条件による静止画の画質より、ユーザが希望する画質の静止画像を得ることが可能となる。また、当然ながら動画撮影条件を維持したまま、静止画撮影を行なうことが可能である。
【００４４】
（変形例）
同実施形態の電子カメラは、図１に示すように、撮影系１０として動画撮影及び静止画撮影兼用の撮像素子１０３を有する。このような同実施形態の変形例として、動画撮影用の撮像素子（例えば数十万画素程度）と、静止画撮影用の撮像素子（例えば数百万画素程度）とをそれぞれ別に有する撮影系でもよい。このような撮影系を有する電子カメラであれば、画像処理部１１において、間引部１１２を省略できるなどの効果が得られる。
【００４５】
【発明の効果】
以上詳述したように本発明によれば、静止画撮影機能と動画撮影機能の両者を備えた電子カメラにおいて、動画撮影中に静止画撮影を実行する場合に、動画撮影用の撮影条件から静止画撮影用の撮影条件に再設定することができる。この場合、静止画撮影用の撮影条件として、ユーザが所定の範囲内で所望の条件を任意に設定することが可能である。従って、動画撮影中に、適正な撮影条件での静止画撮影を実現することができる。
【図面の簡単な説明】
【図１】本発明の実施形態に関係する電子カメラの要部を示すブロック図。
【図２】同実施形態の電子カメラのシステムコントローラの部分的構成を示すブロック図。
【図３】従来の電子カメラの要部を示すブロック図。
【図４】同実施形態に関係する電子カメラの動作を説明するためのフローチャート。
【図５】同実施形態に関係する電子カメラの動作を説明するためのフローチャート。
【符号の説明】
１０…撮影系
１１…画像処理部
１２…システムコントローラ
１３…表示系
１４…入力操作系
１５…記録媒体
１００…レンズ
１０１…絞り部
１０２…シャッタ
１０３…撮像素子
１０４…Ａ／Ｄコンバータ
１０５…オートフォーカス（Ａ／Ｆ）機構
１０６…ストロボ装置
１１０…動画処理部
１１１…静止画処理部
１１２…間引部
１１３…バッファメモリ
１２０…動画／静止画切替部
１２１…絞り・シャッタ設定部
１２２…Ａ／Ｆ制御部
１２３…ストロボ判定部
１３０…ＥＶＦ表示制御部
１３１…ファインダ
１４０…静止画レリーズボタン
１４１…動画開始／停止（Ｓ／Ｓ）ボタン
１４２…絞り値入力部
１４３…シャッタスピード入力部
１４４…静止画モード入力ボタン
１４５…ストロボモード設定ボタン
【図１】
0004309524.tif 000002
【図２】
0004309524.tif 000003
【図３】
0004309524.tif 000004
【図４】
0004309524.tif 000005
【図５】
0004309524.tif 000006